(57)【要約】【課題】低損失水頭型環状体を使用して漏水等の補修工事等を行ったとしても、漏水した管がほぼ平行で管の断面がずれていないものでない場合以外では、低損失水頭型環状体のベルマウス形状の先端部が管内壁に圧設することが困難で漏水してしまう恐れがあった。【解決手段】管内壁の或る部分を覆って止水目的で取り付けられ、かつ実質的な送水能力の低下を来さない低損失水頭型環状体に使用するアダプターであって、そのアダプターは、管内壁に押し付けられる止水突条を有し、かつ、使用時においてこの止水突条よりも流れ方向の端部において管内壁寄りに突出し、その使用時の形状が、ほぼ三日月形の断面形状を呈するベルマウス形状を有することを特徴とする低損失水頭型環状体に使用するアダプターである。【選択図】          図１
2010019383.tif 000002
【特許請求の範囲】
【請求項１】
管内壁の或る部分を覆って止水目的で取り付けられ、かつ実質的な送水能力の低下を来さない低損失水頭型環状体に使用するアダプターであって、そのアダプターは、管内壁に押し付けられる止水突条を有し、かつ、使用時においてこの止水突条よりも流れ方向の端部において管内壁寄りに突出し、その使用時の形状が、ほぼ三日月形の断面形状を呈するベルマウス形状を有することを特徴とする低損失水頭型環状体に使用するアダプター。
【請求項２】
アダプター使用時における流れ方向と平行に切断した場合の横断面の厚みは、アダプターの中央部で最大となり周方向端部で最小となるように連続して減少する断面形状を有する請求項１記載の低損失水頭型環状体に使用するアダプター。
【請求項３】
アダプターの使用時における流れ方向後端部においては、ずれた管７１の内壁部と低損失水頭型環状体１０の内壁部がほぼ平行を保持できるような断面形状を有する請求項１記載の低損失水頭型環状体に使用するアダプター。
【請求項４】
低損失水頭型環状体のベルマウス形状及び止水突条と密着する形状を有することを特徴とする請求項１ないし３に記載の低損失水頭型環状体に使用するアダプター。
【請求項５】
低損失水頭型環状体のベルマウス形状及び止水突条と密着する形状は、低損失水頭型環状体におけるベルマウス形状の先端部と、止水突状と、それらの基部と、支持部と、に対応するベルマウス形状受け部と、止水突状受け部と、その基部に対する受け部と、支持部受け部とを有することを特徴とする請求項１ないし４に記載の低損失水頭型環状体に使用するアダプター。
【発明の詳細な説明】
【技術分野】
【０００１】
本発明は、管内壁のある部分を覆って止水目的で取り付けられ、かつ実質的な送水能力の低下を来さない低損失水頭型環状体に使用するアダプターに関するものである。
【背景技術】
【０００２】
地中に埋設されている管路には、永年の使用により、様々な外力が作用するため、例えば、管接続部分に漏水が発生したり、コンクリート管の場合には、各部にひび割れを生じたりするような事態が起こる。その場合は、漏水止め工事を行うことで修復していた。しかし、漏水工事の施工対象個所が管内にある場合には、管内壁の漏水止めに使用している部材類が残存するため、これらにより水流に生じる抵抗が問題となった。
【０００３】
【特許文献１】特開２００４−１４４２４６号公報  そこで、本出願人が特許文献１で提案した特許発明においては、管内壁の或る部分を覆って止水目的で取り付けられ、かつ実質的な送水能力の低下を来さない低損失水頭型環状体であって、環状体本体の流れ方向の端部は、環状体本体を取り付ける、固定板によって管内壁に押し付けられる止水突条よりも大きい直径を有するとともに、ほぼ三日月状の断面形状を呈するベルマウス形状を有するものとし、環状体本体を固定板によって管内壁に押し付けたときに、ベルマウス形状を圧縮し固定するためのハンチ部を固定板取り付け凹部の角を埋めるように設けたことを特徴とするものである。その特許発明を漏水止め工事に使用することにより環状体による水流抵抗を極限まで低減することができ、また補修コストを抑制しながら管接続部に適切な伸縮性と可撓性とを付与することができたのである。
【０００４】
すなわち、上記特許発明によれば、その環状体本体を、固定板によって管内壁に押し付けたときに、ベルマウス形状を圧縮固定するためのハンチ部を、固定板を取り付けるために環状体本体内面に形成してある凹部の内側に設けてあり、このハンチ部は、固定板による押し付け力が効果的にベルマウス形状から成る環状体本体の端部に及ぶように設けられているので、環状体本体の端部のベルマウス形状は確実に確保され、水流の抵抗を予想通りに低減できるものとなる。このベルマウスの断面が、ほぼ三日月型を有しているので、その三日月型のアーチ形状における任意点に力をかけるとそのアーチがたわみ先端部に応力が集中するのと同様に、固定板による管内方向への押し付け力をベルマウス形状に指向させるための効果がある。従って、ベルマウス形状を十分圧縮することにより水流抵抗に負けて先端部が剥離することがなく確実に漏水を防ぐことができるすぐれた特徴を有していた。
【０００５】
しかしながら、漸次径が拡大する管と接合している場合、及び、管同士が屈折して破断することで漏水した場合、あるいは管同士が平行にずれて破断することにより管の断面に段差が生じて漏水した場合に、前記特許発明における低損失水頭型環状体を使用して漏水等の補修工事等を行ったとしても、上記の様に漏水した管がほぼ平行で管の断面がずれていないものでない場合以外では、この固定板で低損失水頭型環状体を押さえ付けたとしても、ベルマウス形状の先端部を管内壁に圧接することが困難で漏水してしまう恐れがあった。
【発明の開示】
【発明が解決しようとする課題】
【０００６】
本発明は前記の点に着目してなされたもので、その課題は漏水等の補修工事を行ったとしても極限まで低減した環状体による水流抵抗を増加させないことである。また本発明の他の課題は、補修コストを抑制しながら本出願人が特許文献１で提案したと同等の伸縮性と、可撓性を付与することである。
【課題を解決するための手段】
【０００７】
前記の課題を解決するため本発明は、管内壁の或る部分を覆って止水目的で取り付けられ、かつ実質的な送水能力の低下を来さない低損失水頭型環状体に使用するアダプターであって、そのアダプターは、管内壁に押し付けられる止水突条を有し、かつ、使用時においてこの止水突条よりも流れ方向の端部において管内壁寄りに突出し、その使用時の形状が、ほぼ三日月形の断面形状を呈するベルマウス形状を有することを特徴とする低損失水頭型環状体に使用するアダプターである。
【発明の効果】
【０００８】
本発明は以上のように構成されるので、前記特許発明における低損失水頭型環状体のみでは防ぐことにできない、管同士が屈折して漏水した場合、管同士が平行にずれて管の断面に段差が生じて漏水した場合、あるいは、漸次径が拡大する管と接合する場合、に対処することができる。また、その際にベルマウスの断面が、ほぼ三日月型を有しているので、その三日月型のアーチ形状における任意点に力が掛かることによりアーチがたわみ、その先端部に応力が集中するため前記特許発明における低損失水頭型環状体と同様にその低損失水頭型環状体本体を固定するための固定板による押し付け力によりアダプターにおけるベルマウス形状を十分圧縮することができるため、水流抵抗に負けて先端部が剥離することがなく確実に漏水を防ぐことができる。
【０００９】
また、低損失水頭型環状体本体を管の破断部に配置した場合に、管の破断部の伸縮あるいは屈折によって前記環状体本体を伸縮及び屈折可能なものとするために、水流に接する環状体本体内面を平滑面として、そこに周方向の細い溝を設け、環状体本体外面では内面の細い溝に応じた個所を山とし、隣接個所を谷とする波状の断面形状を有し、これにより、低損失水頭型環状体本体は伸縮性、可撓性を具備することになるが、該アダプターは、低損失水頭型環状体１０と同じ材料を使用することが好ましく、また、前記特許発明における低損失水頭型環状体の流れ方向の先端部付近に本願発明に係るアダプターを取り付けるだけなので、低損失水頭型環状体本体が本来有している伸縮性及び可撓性を損なうことはない。さらに前記特許発明における低損失水頭型環状体本体に当該アダプターを取り付けるだけなので、徒に施工工程も増加することはなく、短期にかつ安価に施工することができる。
【発明を実施するための最良の形態】
【００１０】
以下、本発明の実施の形態を図１ないし図５に基づいて説明する。
図１は本出願人が特許文献１で提案した特許発明の低損失水頭型環状体１０および、低損失水頭型環状体に使用する各アダプターの実施例である。図２は管径拡大用アダプターの設置状態における断面図。図３は管屈折破断用アダプターの設置状態における断面図。図４は管が平行にずれた場合に使用するアダプター設置状態における断面図。図５は図２におけるＡ部の拡大図。
【００１１】
低損失水頭型環状体１０に装着する管径拡大用アダプター３０は、ほぼ帯状を呈し、使用時における周方向の長さは、低損失水頭環状体１０のラジアル方向である全周の長さとほぼ一致する。またその断面形状は、低損失水頭環状体１０のラジアル方向である全周方向にわたって一様である。また幅すなわち使用時における流れ方向の長さは、ほぼ管同士の接合地点７０から低損失水頭型環状体のベルマウス形状の先端部２０ａを覆うのに充分な長さを有する。
【００１２】
管径拡大用アダプター３０のベルマウス形状部３８は、管径拡大用アダプター３０装着時における、低損失水頭環状体１０から管７２の内壁方向へ外側に突出するように設けられており、外側の曲率半径Ｒ４の方が内側の曲率半径Ｒ３よりも大きいか等しい、外側に反ったほぼ三日月形或いは、ほぼ、つの状の断面形状を有する。また、管径拡大用アダプター３０における管７２と接触する面には、止水突条３６、３７が、接合端部３９と上記ベルマウス形状部３８の間に固定板１４の幅に見合う間隔で設けられている。また３５は膨張ゴムであり止水突条３６、３７の間に配置するのが好ましい。
【００１３】
また、管径拡大用アダプター３０における低損失水頭型環状体１０と接触する面には、管の接合面あるいは破断個所７０に対応する部分である接合端部３９付近から、低損失水頭型環状体１０のベルマウス形状２０付近である低損失水頭型環状体１０の先端部付近を覆うものであるので、その間にある支持部１８、各突条１６,１７、また、その尖鋭な先端を支える基部１６ａ，１７ａ、および、ベルマウス形状部２０が有するそれらの外形のすべての形状と隙間なく接する様な形状を有するものが好ましい。言い換えるとすると、管径拡大用アダプター３０と接する低損失水頭型環状体１０を雄型とすれば、管径拡大用アダプター３０における低損失水頭型環状体１０と接触する面は、雌型の如きに隙間なく密着することができる形状を有するものが好ましい。
【００１４】
さらに詳述すれば、低損失水頭型環状体１０におけるベルマウス形状２０の先端部２０ａ、止水突条１６、１７及びそれらの基部１６ａ，１７ａ、支持部１８は、それぞれ管径拡大用アダプター３０のベルマウス形状受け部２０ｂ、止水突条受け部１６ｂ、１７ｂおよび基部に対する受け部１６ｃ、１７ｃ、支持部受け部１８ｂと対応する。しかしながら、低損失水頭型環状体１０において管径拡大用アダプター３０との接触面の形状が上記と異なる場合は、管径拡大用アダプター３０の接触面もそれに応じた形状とすることで当該接触面の密接状態が保持される。またこの接触面の形状は、管径拡大用アダプター３０のみならず、以下に述べる管屈折破断用アダプター４０あるいは、管が平行にずれて破断した場合に使用するアダプター５０も同様に適用される。
【００１５】
また管径拡大用アダプター３０の先端部がベルマウス形状３８とすると流れ方向反対側である後端部３９は、使用時の流れ方向と平行に切断したときの断面形状がテーパー状を有し、後端部３９では厚さが零に近づく。従って、漸次径が拡大する管７２の中に管径拡大用アダプター３０が入り込んでいるが（図２参照）、漸次径が拡大する管７２の内部においても、低損失水頭型環状体１０の内壁部が、径が一定の管７１の内壁とほぼ平行となり、かつ管径拡大用アダプター３０のベルマウス部３８及び各突条部３６、３７が当該管７２の内径と接することになるので、漏水がが完全に抑えられるものとなる。
【００１６】
図３は管が下向きに屈折して破断した場合、すなわちハの字となるように破断した場合に使用する管屈折破断用アダプター４０である。大部分において上記管径拡大用アダプター３０とほぼ同じ構成、形状を有しているが、この管屈折破断用アダプター４０の使用時における周方向長さが低損失水頭型環状体１０の周方向、すなわちラジアル方向の長さのほぼ半分である。また管屈折破断用アダプター４０の使用時における流れ方向と平行に切断した場合の断面の厚みは、管屈折破断用アダプター４０の中央部４１で最大となり周方向端部４２、４３で最小となるように連続して減少する断面形状となる。すなわち、管屈折破断用アダプター４０の使用時における流れ方向と平行に切断した場合の断面積が管屈折破断用アダプター４０の中央部４１で最大となり周方向端部４２、４３で最小となるように連続して減少する断面形状となる。
【００１７】
管が下向きに屈折し、当該管が管７３と管７４に分離し、いずれか一方あるいは双方が互いに下向きに破断して、すなわちハの字となるように破断した場合に、例えば、下向きに屈折した管７３の下半分に管屈折破断用アダプター４０を装着することにより、管７３の内部下半周を隙間なく埋めることになり、アダプター４０のベルマウス部４８及び突条部４６,４７が管７３の内壁と接することになるので、漏水が完全に抑えられるものとなる。尚、上向きに逆ハの字に破断した場合は、上半分に管屈折破断用アダプター４０を装着することで前記と同様の効果が得られる。
【００１８】
図４は、管が平行にずれて破断した場合に使用するアダプター５０を示している。大部分において上記管屈折破断用アダプター４０とほぼ同じ構成、形状を有しているが、該アダプター５０の使用時における流れ方向後端部５２においては、ずれた管９０の内壁部と低損失水頭型環状体１０の内壁部がほぼ平行を保持できるような段差５２を有する点で相違している。
【００１９】
管が平行にずれて破断した場合は、管の接合部分に低損失水頭型環状体１０を設置しても、そのずれた分だけ段差が生じてしまうことになる（図示せず。）。従ってその段差を埋めるようにアダプター５０を装着する。図４において、管９０が下方にずれ、管９５が上方にずれた場合、管９０には当該管９０の下半分にアダプター５０を設置する。一方で管９５については上半分にアダプター５０を設置する。すなわち管が平行にずれて破断した場合はアダプター５０を２個使用することになる。上記のようにアダプター５０を２個設置することにより低損失水頭型環状体１０の内壁部分が管９０あるいは管９５とほぼ平行となりしかも、アダプター５０のベルマウス部５８及び突条部５６,５７が管９０あるいは管９５の内壁と接することになるので、漏水が完全に抑えられるものとなる。
【００２０】
ここで、本出願人が前記アダプターを使用せず特許文献１で提案した低損失水頭型環状体１０を単体で使用する場合に漏水を防止する仕組みは以下のとおりである。すなわち、図１が本願発明に係るアダプターを取り付ける低損失水頭型環状体１０である。その流れ方向両端部には固定部１２、１３が設けられている。各固定部１２、１３の内面には、固定板１４を取り付けるためにこれを受け入れる大きさの固定板取り付け凹部１５が形成してあり、また各固定部１２、１３の外面には、固定板１４によってアダプターと密接する止水突条１６、１７が、固定板１４の幅に見合う間隔で設けられている。各突条１６、１７は尖鋭な先端を支える基部１６ａ、１７ａを有する。１８は支持部を示しており、基部１６ａ、１７ａとともに固定板１４と内面の平滑面２７との平坦性を確保している。
【００２１】
一方において、低損失水頭型環状体１０におけるベルマウス形状部２０は、固定部１２、１３の流れ方向で且つ低損失水頭型環状体１０の使用時における管の内壁方向に突出するように設けられており、外側の曲率半径Ｒ２の方が内側の曲率半径Ｒ１よりも大きいか等しい、外方に反ったほぼ三日月形或いは、ほぼ、つの状の断面形状を有する。さらにこのアダプターを装着していない状態における低損失水頭型環状体１０単体においては、ベルマウス形状部２０を圧縮するためのハンチ部２１、２２が固定部取り付け凹部１５の内角に設けられている。このハンチ部２１、２２はベルマウス形状２０の先端部２０ａと止水突条１６を結ぶアーチ形状の支点に対して直角に作用する力点となり、先端部２０ａを管内壁に圧接し、アダプターを装着していない状態におけるベルマウス形状２０への応力集中に寄与している。
【００２２】
従って、前記管径拡大用アダプター３０、管屈折破断用アダプター４０、管が平行にずれた場合に使用するアダプターアダプター５０を低損失水頭型環状体１０装着することにより、前記各アダプター３０、４０、５０のベルマウス部３８、４８、５８及び止水突条３６、３７及び４６、４７あるいは５６,５７に上記応力が集中することになり、前記特許発明における低損失水頭型環状体１０のみで補修できる場合と同様に、その低損失水頭型環状体本体１０を固定するための固定板１４による押し付け力により、前記各アダプター３０、４０、５０のベルマウス形状部３８、４８、５８を十分圧縮することができるため、水流抵抗に負けて先端部が剥離することがなく確実に漏水を防ぐことができる。
【図面の簡単な説明】
【００２３】
【図１】低損失水頭型環状体及びそれに使用する各アダプターの斜視図
【図２】管径拡大用アダプターの設置状態における断面図
【図３】管屈折破断用アダプターの設置状態における断面図
【図４】管が平行にずれた場合に使用するアダプター設置状態における断面図
【図５】図２におけるＡ部の拡大図
【符号の説明】
【００２４】
１０  低損失水頭型環状体
２０  低損失水頭型環状体のベルマウス部
３０  低損失水頭型環状体に使用する管径拡大用アダプター
４０  低損失水頭型環状体に使用する管屈折破断用アダプター
５０  低損失水頭型環状体に使用する管が平行にずれた場合に使用するアダプター
【図１】
2010019383.tif 000003
【図２】
2010019383.tif 000004
【図３】
2010019383.tif 000005
【図４】
2010019383.tif 000006
【図５】
2010019383.tif 000007